(57)【要約】【課題】本開示の実施形態は基準信号を受信する方法及び装置、並びに基準信号を受信する方法及び装置に関する。【解決手段】本開示の一実施形態において、基準信号を送信する方法は、基準信号リソースは少なくとも２つの基準信号グループに分割されており、基準信号グループ構成を含む基準信号構成を示す基準信号構成インディケーションを受信し、基準信号グループ構成により示される基準信号グループ内の基準信号シーケンスであって、異なる基準信号グループの別のレイヤ又は別のユーザと多重化されることができる基準信号シーケンスを用いて基準信号を送信することを有する。本開示の実施形態では、異なるレイヤ又はユーザのための基準信号は、異なる基準信号グループに多重化することができ、従って、不均一な帯域幅を持つより多くのｍｕ−ユーザが、著しいチャネル推定ロス及びＰＡＰＲロスなしにサポートされることができる。【選択図】図５
2020074611.tif 000002
【特許請求の範囲】
【請求項１】
基準信号リソースが少なくとも２つの基準信号グループに分割されるか否かを示すインディケーションを受信し、
前記基準信号グループの１つは偶数サブキャリア上の基準信号シーケンスに対応し、他の基準信号グループの１つは奇数サブキャリア上の基準信号シーケンスに対応し、
前記偶数サブキャリア上の基準信号シーケンスは、ベースシーケンス/ｒu,v（ｎ）の巡回シフトαにより、下記式
【数１】
2020074611.tif 000012
で定義され、
前記奇数サブキャリア上の基準信号シーケンスは、前記ベースシーケンス/ｒu,v（ｎ）の前記巡回シフトαにより、下記式
【数２】
2020074611.tif 000013
で定義され、
前記インディケーションに基づいて基準信号を生成する、
ユーザ機器（ＵＥ:User Equipment）により実施される方法。
【請求項２】
前記基準信号グループのうち何れが適用されるかを示すインディケーションを受信することを更に有し、
基準信号グループのそれぞれは基準信号シーケンスに対応している、
請求項１に記載の方法。
【請求項３】
前記基準信号リソースが少なくとも２つの基準信号グループに分割されているか否かを示すインディケーションは、無線リソース制御（ＲＲＣ：radio resource control）シグナリングにより受信される、請求項１又は２に記載の方法。
【請求項４】
前記基準信号グループのうち何れが適用されるかを示すインディケーションは、ＤＣＩにより受信される、請求項２に記載の方法。
【請求項５】
前記基準信号リソースは、２つの基準信号グループに分割される、請求項１から４何れか１項に記載の方法。
【請求項６】
前記基準信号グループの１つのインデックスに対応する巡回シフトフィールドは０００、００１、０１０、及び１１１の１つであり、前記他の基準信号グループの１つのインデックスに対応する巡回シフトフィールドは０１１、１００、１０１、及び１１０の１つである、請求項１から５何れか１項に記載の方法。
【請求項７】
前記基準信号グループの１つを運ぶためのＲＥ、及び前記他の基準信号グループを運ぶためのＲＥは、周波数ドメインにおいて互い違いである、請求項６に記載の方法。
【請求項８】
前記基準信号リソースが前記少なくとも２つの基準信号グループに分割される場合、
スロットｎｓにおける、レイヤλに関連付けられる基準信号シーケンスのための巡回シフトαλは、
【数３】
2020074611.tif 000014
を用いてαλ＝２πｎcs,λ／１２で与えられる、請求項１から７何れか１項に記載の方法。
【請求項９】
前記基準信号グループのための基準信号シーケンスの長さは、レガシーＤＭＲＳシーケンスの長さの半分であり、
前記基準信号シーケンスのそれぞれの長さは、ＭRSSC＝ｍＮRBSC／２であり、
ＮRBSCはサブキャリアの数として表される周波数ドメインにおけるリソースブロックサイズであり、かつＮmax,ULRBを最大の上りリンク帯域幅構成として１≦ｍ≦Ｎmax,ULRBである、請求項１から８何れか１項に記載の方法。
【請求項１０】
前記基準信号を送信することを更に有する、請求項１から９何れか１項に記載の方法。
【請求項１１】
プロセッサを有し、該プロセッサが、
基準信号リソースが少なくとも２つの基準信号グループに分割されるか否かを示すインディケーションを受信し、
前記基準信号グループの１つは偶数サブキャリア上の基準信号シーケンスに対応し、他の基準信号グループの１つは奇数サブキャリア上の基準信号シーケンスに対応し、
前記偶数サブキャリア上の基準信号シーケンスは、ベースシーケンス/ｒu,v（ｎ）の巡回シフトαにより、下記式
【数４】
2020074611.tif 000015
で定義され、
前記奇数サブキャリア上の基準信号シーケンスは、前記ベースシーケンス/ｒu,v（ｎ）の前記巡回シフトαにより、下記式
【数５】
2020074611.tif 000016
で定義され、
前記インディケーションに基づいて基準信号を送信するように構成される、
ユーザ機器（ＵＥ：User Equipment）。
【請求項１２】
前記プロセッサが、更に、前記基準信号グループのうち何れが適用されるかを示すインディケーションを受信するように構成され、
基準信号グループのそれぞれは基準信号シーケンスに対応している、
請求項１１に記載のユーザ機器。
【請求項１３】
前記基準信号リソースが少なくとも２つの基準信号グループに分割されているか否かを示すインディケーションは、無線リソース制御（ＲＲＣ：radio resource control）シグナリングにより受信される、請求項１１又は１２に記載のユーザ機器。
【請求項１４】
前記基準信号グループのうち何れが適用されるかを示すインディケーションは、ＤＣＩにより受信される、請求項１２に記載のユーザ機器。
【請求項１５】
前記基準信号リソースは、２つの基準信号グループに分割される、請求項１１から１４何れか１項に記載のユーザ機器。
【請求項１６】
前記基準信号グループの１つのインデックスに対応する巡回シフトフィールドは０００、００１、０１０、及び１１１の１つであり、前記他の基準信号グループの１つのインデックスに対応する巡回シフトフィールドは０１１、１００、１０１、及び１１０の１つである、請求項１１から１５何れか１項に記載のユーザ機器。
【請求項１７】
前記基準信号グループの１つを運ぶためのＲＥ、及び前記他の基準信号グループを運ぶためのＲＥは、周波数ドメインにおいて互い違いである、請求項１６に記載のユーザ機器。
【請求項１８】
前記基準信号リソースが前記少なくとも２つの基準信号グループに分割される場合、
スロットｎｓにおける、レイヤλに関連付けられる基準信号シーケンスのための巡回シフトαλは、
【数６】
2020074611.tif 000017
を用いてαλ＝２πｎcs,λ／１２で与えられる、請求項１１から１７何れか１項に記載のユーザ機器。
【請求項１９】
前記基準信号グループのための基準信号シーケンスの長さは、レガシーＤＭＲＳシーケンスの長さの半分であり、
前記基準信号シーケンスのそれぞれの長さは、ＭRSSC＝ｍＮRBSC／２であり、
ＮRBSCはサブキャリアの数として表される周波数ドメインにおけるリソースブロックサイズであり、かつＮmax,ULRBを最大の上りリンク帯域幅構成として１≦ｍ≦Ｎmax,ULRBである、請求項１１から１８何れか１項に記載のユーザ機器。
【請求項２０】
基準信号リソースが少なくとも２つの基準信号グループに分割されるか否かを示すインディケーションをユーザ機器（ＵＥ:User Equipment）に送信し、
前記基準信号グループの１つは偶数サブキャリア上の基準信号シーケンスに対応し、他の基準信号グループの１つは奇数サブキャリア上の基準信号シーケンスに対応し、
前記偶数サブキャリア上の基準信号シーケンスは、ベースシーケンス/ｒu,v（ｎ）の巡回シフトαにより、下記式
【数７】
2020074611.tif 000018
で定義され、
前記奇数サブキャリア上の基準信号シーケンスは、前記ベースシーケンス/ｒu,v（ｎ）の前記巡回シフトαにより、下記式
【数８】
2020074611.tif 000019
で定義され、
前記インディケーションに基づいて生成された基準信号を受信する、
基地局により実施される方法。
【請求項２１】
前記基準信号グループのうち何れが適用されるかを示すインディケーションをＵＥに送信することを更に有し、
前記基準信号グループのそれぞれは基準信号シーケンスに対応している、
請求項２０に記載の方法。
【請求項２２】
前記基準信号リソースが少なくとも２つの基準信号グループに分割されているか否かを示すインディケーションは、無線リソース制御（ＲＲＣ：radio resource control）シグナリングにより送信される、請求項２０又は２１に記載の方法。
【請求項２３】
前記基準信号グループのうち何れが適用されるかを示すインディケーションは、ＤＣＩにより送信される、請求項２２に記載の方法。
【請求項２４】
前記基準信号リソースは、２つの基準信号グループに分割される、請求項２０から２３の何れか１項に記載の方法。
【請求項２５】
前記基準信号グループの１つのインデックスに対応する巡回シフトフィールドは０００、００１、０１０、及び１１１の１つであり、前記他の基準信号グループの１つのインデックスに対応する巡回シフトフィールドは０１１、１００、１０１、及び１１０の１つである、請求項２０から２４の何れか１項に記載の方法。
【請求項２６】
前記基準信号グループの１つを運ぶためのＲＥ、及び前記他の基準信号グループを運ぶためのＲＥは、周波数ドメインにおいて互い違いである、請求項２５に記載の方法。
【請求項２７】
前記基準信号リソースが前記少なくとも２つの基準信号グループに分割される場合、スロットｎｓにおける、レイヤλに関連する基準信号シーケンスのための巡回シフトαλは、
【数９】
2020074611.tif 000020
を用いてαλ＝２πｎcs,λ／１２で与えられる、請求項２０から２６何れか１項に記載の方法。
【請求項２８】
前記基準信号グループのための基準信号シーケンスの長さは、レガシーＤＭＲＳシーケンスの長さの半分である、請求項２０から２７何れか１項に記載の方法。
【請求項２９】
前記基準信号シーケンスのそれぞれの長さは、ＭRSSC＝ｍＮRBSC／２であり、
ＮRBSCはサブキャリアの数として表される周波数ドメインにおけるリソースブロックサイズであり、かつＮmax,ULRBを最大の上りリンク帯域幅構成として１≦ｍ≦Ｎmax,ULRBである、請求項２０から２８何れか１項に記載の方法。
【請求項３０】
プロセッサを有し、該プロセッサが、
基準信号リソースが少なくとも２つの基準信号グループに分割されるか否かを示すインディケーションをユーザ機器（ＵＥ:User Equipment）に送信し、
前記基準信号グループの１つは偶数サブキャリア上の基準信号シーケンスに対応し、他の基準信号グループの１つは奇数サブキャリア上の基準信号シーケンスに対応し、
前記偶数サブキャリア上の基準信号シーケンスは、ベースシーケンス/ｒu,v（ｎ）の巡回シフトαにより、下記式
【数１０】
2020074611.tif 000021
で定義され、
前記奇数サブキャリア上の基準信号シーケンスは、前記ベースシーケンス/ｒu,v（ｎ）の前記巡回シフトαにより、下記式
【数１１】
2020074611.tif 000022
で定義され、
前記インディケーションに基づいて生成された基準信号を受信するように構成される、
基地局。
【発明の詳細な説明】
【技術分野】
【０００１】
本開示の実施形態は、全体として無線通信技術に関し、特に基準信号を送信する方法及び装置、並びに基準信号を受信する方法及び装置に関する。
【背景技術】
【０００２】
マルチアンテナ技術は、無線通信システムのデータレート及び信頼性を著しく増加できる。送信機及び受信機の双方が複数のアンテナを有し、ＭＩＭＯ（multiple-input multiple-output）通信チャネルが得られる場合、性能は特に改善される。そのようなシステム、及び／又は関連技術は、一般にＭＩＭＯと呼ばれる。
【０００３】
ＬＴＥ（Long Term Evolution）スタンダードは、現在、強化されたＭＩＭＯサポートを展開している。ＬＴＥのコアコンポーネントは、ＭＩＭＯアンテナ配備及びＭＩＭＯ関連技術をサポートする。現在、一次元（水平）アンテナアレイは、水平方向のプリコーディング処理のみを通じてアジマスドメインにおいて柔軟なビーム適応を提供することができ、一方、垂直方向においては固定されたダウン−チルトが適用される。
【０００４】
近年、２次元（２Ｄ）アンテナ平面を利用することで完全なＭＩＭＯ能力を活用でき、垂直ドメインにおいて、ユーザ固有エレベーションビーム形成及び空間多重が可能であることが分かった。さらに、上りリンク（ＵＬ：Uplink）復調基準信号（ＤＭＲＳ：demodulation reference signal）が部分的な重複に対して追加の直交ポートをサポートすることも提案された。
【０００５】
また、高い中心周波数が使用される場合、時間ドメインにおけるチャネル変動は緩やかであるため、スパースＲＳが時間ドメインにおいて使用されることができる。換言すれば、将来の５Ｇ通信において、オーバヘッドを削減するために、ＲＳ送信に対して時間ドメインにおいて１又は少数のシンボルのみが提案されており、新規なサブフレーム構造においてZadoff-Chu（ＺＣ）シーケンスが使用されることが提案されている。説明の目的のために、図１は、新規なサブフレーム構造の１つを示し、そのサブフレーム構造において、ＲＳ送信のために、１つのＴＴＩにおいて１つのシンボルのみが存在する。しかしながら、別の可能な新規なサブフレーム構造において、シンボルが他の位置に配置されてもよく、及び／又は、ＵＬ／ＤＬシンボルを１以上有していてもよいことが理解されるであろう。
【０００６】
このように、将来の５Ｇ通信において、ＵＬ及び下りリンク（ＤＬ：Down Link）の双方に対して、ＤＭＲＳの１つ又は少数のシンボルのみを使用することができる。そのような場合、高いオーダーのマルチユーザＭＩＭＯ（ＭＵ(Multi User)−ＭＩＭＯ）をサポートするために、部分的に重複しているＢＷに、より多くの直交ポートを使用することを考えるべきである。
【０００７】
従って、当該分野において、時間ドメインにおける新たなチャネル特性変動に新規なサブフレーム構造を適合させるため、及びより多くのユーザ又はより多くのレイヤをサポートするために、新規なＤＭＲＳデザイン、並びに新規な基準信号送信及び受信ソリューションが要求される。
【発明の概要】
【発明が解決しようとする課題】
【０００８】
本開示において、従来技術における問題の少なくとも一部を軽減し、或いは少なくとも緩和するために、基準信号の送信及び受信に対する新たなソリューションが提供される。
【０００９】
本開示の第１の態様によれば、基準信号を送信する方法が提供される。その方法は、基準信号構成インディケーションを受信すること、ここで、基準信号リソースは少なくとも２つの基準信号グループに分割されており、基準信号構成インディケーションは基準信号グループ構成を含む基準信号構成を示すものであり、及び、基準信号グループ構成により示される基準信号グループにおける基準信号シーケンスを使用して基準信号を送信することを有ることができ、基準信号シーケンスは、異なる基準信号グループ内の他のレイヤ又は他のユーザと多重化されることができる。
【００１０】
本開示の第２の態様において、基準信号を受信する方法が提供される。その方法は、基準信号構成インディケーションを送信すること、ここで、基準信号リソースは少なくとも２つの基準信号グループに分割されており、基準信号構成インディケーションは基準信号グループ構成を含む基準信号構成を示すものであり、及び、基準信号グループ構成により示される基準信号グループにおける基準信号シーケンスを使用することにより送信された基準信号を受信することを有することができ、基準信号シーケンスは、異なる基準信号グループ内の他のレイヤ又は他のユーザと多重化されることができる。
【００１１】
本開示の第３の態様において、基準信号を送信する装置が提供される。その装置は、基準信号構成インディケーションを受信するために構成されたインディケーション受信モジュール、ここで、基準信号リソースは少なくとも２つの基準信号グループに分割されており、基準信号構成インディケーションは基準信号グループ構成を含む基準信号構成を示し、及び、基準信号グループ構成により示される基準信号グループにおける基準信号シーケンスを使用して基準信号を送信するように構成された信号送信モジュールを有することができ、基準信号シーケンスは、異なる基準信号グループ内の他のレイヤ又は他のユーザと多重化されることができる。
【００１２】
本開示の第４の態様において、基準信号を受信する装置が提供される。その装置は、基準信号構成インディケーションを送信するように構成されたインディケーション送信モジュール、ここで、基準信号リソースは少なくとも２つの基準信号グループに分割されており、基準信号構成インディケーションは基準信号グループ構成を含む基準信号構成を示し、及び、基準信号グループ構成により示される基準信号グループにおける基準信号シーケンスを使用することにより送信された基準信号を受信するように構成された信号受信モジュールとを有することができ、基準信号シーケンスは、異なる基準信号グループ内の他のレイヤ又は他のユーザと多重化されることができる。
【００１３】
本開示の第５の態様によれば、コンピュータプログラムコードが実装されるコンピュータ可読記憶媒体が提供され、そのプログラムコードは、実行時に、装置に第１の態様の任意の実施形態による方法における動作を実行させるように構成される。
【００１４】
本開示の第６の態様によれば、コンピュータプログラムコードが実装されるコンピュータ可読記憶媒体が更に提供され、そのプログラムコードは、実行時に、装置に第２の態様の任意の実施形態による方法における動作を実行させるように構成される。
【００１５】
本開示の第７の態様によれば、第５の態様によるコンピュータ可読記憶媒体を有するコンピュータプログラム製品が提供される。
【００１６】
本開示の第８の態様によれば、第６の態様によるコンピュータ可読記憶媒体を有するコンピュータプログラム製品が提供される。
【００１７】
本開示の実施形態と共に、基準信号送信及び受信に対して新規なソリューションが提供され、新規なソリューションにおいて、基準信号リソースは少なくとも２つの基準信号グループに分割され、異なるレイヤ又はユーザに対する基準信号は、異なる基準信号グループに多重化できる。これにより、不均一な帯域幅が割り当てられるより多くのｍｕ−ユーザは、著しいチャネル推定損失及びＰＡＰＲ問題をサポートできる。
【図面の簡単な説明】
【００１８】
本開示の上記及び他の特徴は、添付図面を参照して実施形態において説明される実施形態の詳細な説明を通じて明らかになるであろう。添付図面において、同じ参照符号は、同じ又は類似のコンポーネントを表す。
【図１】図１は、ＵＬシンボルを削減した、新たに提案されるサブフレーム構造における可能なＵＬシンボルの１つを模式的に示す。
【図２】図２は、既存の通信システムにおけるＤＭＲＳパターンを模式的に示す。
【図３】図３は、巡回シフトのｎ(1)DMRS値への割当てを模式的に示す。
【図４】図４は、上りリンクに関連するＤＣＩフォーマットにおける巡回シフトフィールドのｎ(2)DMRS,λ、及び［ｗ(λ)(0) ｗ(λ)(1)］への割当てを模式的に示す。
【図５】図５は、本開示の一実施形態に従って基準信号を送信する方法のフローチャートを模式的に示す。
【図６Ａ】図６Ａは、本開示の一実施形態に従うＤＭＲＳグルーピングに基づく周波数分割多重（ＦＤＭ：frequency division multiplexing）モードにおけるＤＭＲＳパターンの例を模式的に示す。
【図６Ｂ】図６Ｂは、本開示の一実施形態に従うＤＭＲＳグルーピングに基づくＦＤＭモードにおけるＤＭＲＳパターンの例を模式的に示す。
【図７】図７は、本開示の一実施形態に従うＤＭＲＳグルーピングに基づく時分割多重（ＴＤＭ：time division multiplexing）モードにおけるＤＭＲＳパターンの例を模式的に示す。
【図８Ａ】図８Ａは、本開示の一実施形態に従う、更なる５Ｇ通信システムにおけるＤＭＲＳグルーピングに基づく可能なＤＭＲＳパターンの例を模式的に示す。
【図８Ｂ】図８Ｂは、本開示の一実施形態に従う、更なる５Ｇ通信システムにおけるＤＭＲＳグルーピングに基づく可能なＤＭＲＳパターンの例を模式的に示す。
【図８Ｃ】図８Ｃは、本開示の一実施形態に従う、更なる５Ｇ通信システムにおけるＤＭＲＳグルーピングに基づく可能なＤＭＲＳパターンの例を模式的に示す。
【図８Ｄ】図８Ｄは、本開示の一実施形態に従う、更なる５Ｇ通信システムにおけるＤＭＲＳグルーピングに基づく可能なＤＭＲＳパターンの例を模式的に示す。
【図８Ｅ】図８Ｅは、本開示の一実施形態に従う、更なる５Ｇ通信システムにおけるＤＭＲＳグルーピングに基づく可能なＤＭＲＳパターンの例を模式的に示す。
【図８Ｆ】図８Ｆは、本開示の一実施形態に従う、更なる５Ｇ通信システムにおけるＤＭＲＳグルーピングに基づく可能なＤＭＲＳパターンの例を模式的に示す。
【図９】図９は、本開示の一実施形態に従う、ＤＭＲＳグループ構成を示すためのインディケーション手法の例を模式的に示す。
【図１０】図１０は、本開示の別の実施形態に従う、ＤＭＲＳグループ構成を示すための別のインディケーション手法を模式的に示す。
【図１１】図１１は、本開示の別の実施形態に従う、ＤＭＲＳグループ構成を示すための更なるインディケーション手法を模式的に示す。
【図１２】図１２は、本開示の一実施形態に従う、４つの新規ユーザ機器に対するＤＭＲＳ構成を模式的に示す。
【図１３】図１３は、本開示の一実施形態に従う、ＵＥｉ及びＵＥｊのためのＲＥにおいて送信されるＤＭＲＳ信号を模式的に示す。
【図１４】図１４は、本開示の一実施形態に従う、レガシーユーザ機器及び２つの新規ユーザ機器に対するＤＭＲＳ構成を模式的に示す。
【図１５】図１５は、本開示の一実施形態に従う、上りリンクに関連するＤＣＩフォーマットにおける巡回シフトフィールドのｎ(2)DMRS,λ、及び［ｗ(λ)(0) ｗ(λ)(1)］への割当ての例を模式的に示す。
【図１６】図１６は、本開示の一実施形態に従う、複数ＴＴＩ（transmission time interval）スケジューリングの例の図を模式的に示す。
【図１７】図１７は、本開示の他の実施形態に従う、複数ＴＴＩスケジューリングの他の例の図を模式的に示す。
【図１８】図１８は、本開示の一実施形態に従う、スタガーパターンに基づくＤＭＲＳ送信の例を模式的に示す。
【図１９】図１９は、本開示の他の実施形態に従う、１つのＯＣＣグループのための４つのＲＥにおいて送信されるＤＭＲＳ信号を模式的に示す。
【図２０】図２０は、本開示の一実施形態に従う基準信号を受信する方法のフローチャートを模式的に示す。
【図２１】図２１は、本開示の一実施形態に従う、基準信号を送信する装置のブロック図を模式的に示す。
【図２２】図２２は、本開示の一実施形態に従う、基準信号を受信する装置のブロック図を模式的に示す。
【図２３】図２３は、本明細書に記載される無線ネットワークにおけるＵＥとして具現化され、或いはＵＥ内に含まれ得る装置２３１０、及び、基地局として具現化され、或いは基地局として具現化され、或いは基地局内に含まれ得る装置２３２０の簡略化されたブロック図を更に示す。
【発明を実施するための形態】
【００１９】
以下、添付図面を参照しつつ、本開示において提供されるソリューションが実施形態を通じて詳細に説明される。なお、これら実施形態は、当業者が本開示をより理解し、実施することを可能にするためにのみ提供され、いかなる態様においても本開示の範囲を限定するものではない。
【００２０】
添付図において、本開示の種々の実施形態がブロック図、フローチャート、及び他の図において説明される。フローチャートにおける各ブロック又は複数のブロックは、モジュール、プログラム、又は特定の論理機能を実施するための１以上の実行可能な命令を含むコードの一部を表すことができ、本開示において、必ずしも必要ではないブロックは破線で示される。また、これらブロックは、方法のステップを実施するための特定のシーケンスにおいて描かれているが、実際には、これらブロックは厳密に示されるシーケンスに従って実施される必要はない。例えば、ブロックは、逆のシーケンス又は同時に実施されることがあり、これは、それぞれの動作の性質に依存する。なお、ブロック図及び／又はフローチャートにおける各ブロック、並びにそれらの組み合わせは、特定の機能／操作を実施するための専用のハードウェアベースのシステム、又は専用ハードウェアとコンピュータ命令との組み合わせにより実現され得る。
【００２１】
全般的に、請求の範囲において使用される用語は、本明細書において明示的に定義されていない限り、技術分野における通常の意味に従って解釈される。“a/an/the/said「要素、デバイス、コンポーネント、手段、ステップなど」”への言及は、そうでないと明示的に宣言されていない限り、複数のそのようなデバイス、コンポーネント、手段、ユニット、ステップなどを排除することなく、少なくとも１つの要素、デバイス、コンポーネント、手段、ユニットステップなどのインスタンスへの言及としてオープンに解釈される。また、本明細書において用いられる不定冠詞“a/an”は、複数のそのようなステップ、ユニット、モジュール、デバイス、及びオブジェクトなどを排除するものではない。
【００２２】
加えて、本開示の文脈において、ユーザ機器（ＵＥ：User Equipment）は、端末、モバイル端末（ＭＴ：Mobile Terminal）、加入者局（ＳＳ：Subscriber Station）、携帯加入者局（ＰＳＳ：Portable Subscriber Station）、モバイル局（ＭＳ：Mobile Station）、又はアクセス端末（ＡＴ：Access Terminal）を参照することがあり、ＵＥ、端末、ＭＴ、ＳＳ、ＰＳＳ、ＭＳ、又はＡＴのいくつかの又は全ての機能が含まれ得る。更に、本開示の文脈において、用語“ＢＳ”は、例えばノードＢ（ＮｏｄｅＢ又はＮＢ）、エボルブドノードＢ（ｅＮｏｄｅＢ又はｅＮＢ）、ラジオヘッダ（ＲＨ：Radio Header）、リモートラジオヘッド（ＲＲＨ：Remote Radio Head）、リレー、又はフェムト、ピコなどの低電力ノード、などを表し得る。
【００２３】
以下、まず、本開示のよりよい理解のために、ＤＭＲＳパターン及び既存通信システムにおけるマッピングが図２から図４を参照して記述される。
【００２４】
まず、既存の通信システムにおけるＤＭＲＳパターンをより詳細に示す図２が参照される。既存の通信システムにおいて、物理上りリンク共有チャネル（ＰＵＳＣＨ：physical uplink sharing channel）は、Zadoff-Chuシーケンスに基づく。図２に示されるように、ＵＥｉに対して、信号Ｒｉ（ｎ）及びＲ’ｉ（ｎ）は、それぞれ第１のスロット及び第２のスロットにおけるＤＭＲＳシーケンスであり、それらは異なる巡回シフトを持ち得る。信号Ｒｉ（ｎ）及びＲ’ｉ（ｎ）は、シーケンスグループホッピングが無効であれば、同じルートシーケンスを持ち得る。加えて、ＭＵ−ＭＩＭＯにおいて不均一な帯域幅で信号を送信する２人のユーザ（以下、ｍｕ−ユーザと呼ぶ）は、２つのスロットにおいて異なるＯＣＣシーケンスを使用でき、均一な帯域幅の複数のｍｕ−ユーザは、ＤＭＲＳにおいて異なる巡回シフトを使用できる。
【００２５】
2020074611.tif 000003
【００２６】
2020074611.tif 000004
【００２７】
ここまで、既存の通信システムにおいて使用されるＤＭＲＳパターン及びマッピングが記述され、より詳細には、例えば３ＧＰＰ  ＴＳ  ３６．２１１における関連する内容を参照されたい。
【００２８】
加えて、前述のように、１つ又は少数のＤＭＲＳのシンボルがＵＬ及び下りリンク（ＤＬ：downlink）の双方に使用される場合、より高いオーダーのマルチユーザＭＩＭＯ（ＭＵ−ＭＩＭＯ）をサポートするために、部分的に重複するＢＷに対してより直交なポートを使用することを考慮すべきである。しかしながら、既存の通信システムにおいて、不均一な帯域幅が割り当てられた２つのマルチユーザしかサポートされておらず、又は、多くの標準的な努力、及びＺＣシーケンスの長さに対する大き過ぎる制約が要求され、ピーク対平均電力比（ＰＡＰＲ：Peak to Average Power Ratio）の問題が生じる。従って、新規なＲＳパターン、並びに新規なＲＳ送信及び受信ソリューションが本開示において提供され、それらは図５から図２３を参照してより詳細に記述される。
【００２９】
図５は、本開示の一実施形態に従って基準信号を送信する方法のフローチャートを模式的に示す。図５に示されるように、まずステップ５１０において、基準信号構成インディケーションが受信され、ここで、基準信号リソースは少なくとも２つの基準信号グループに分割されており、基準信号構成インディケーションは、基準信号グループ構成を含む基準信号構成を示すものである。
【００３０】
本開示の実施形態において、ＲＳリソース、すなわちＲＳのためのベーシックシーケンスは、Ｍ個の異なるグループに分割されることができ、Ｍ個の異なるグループは、より多くのユーザ又はより多くのレイヤをサポートするために、周波数分割モード又は時分割モードの何れにおいても使用されることができる。次いで、それをより詳細に説明するために例示が与えられ、それら例示において、理解を容易にするためにＤＭＲＳリソースは２つのグループに分割され、すなわちＭ＝２である。しかしながら、当業者は、Ｍの数は２には限定されず、任意の適切な数とすることができることを容易に理解できる。
【００３１】
図６Ａにおいて、ＤＭＲＳリソースは２つのグループ、ＤＭＲＳグループ０及びＤＭＲＳグループ１に分割され、ＤＭＲＳグループ０を運ぶためのＲＥ、及びＤＭＲＳグループ１を運ぶためのＲＥは、周波数ドメインにおいて互い違いである。このため、１つのＤＭＲＳポート／レイヤに対して、ＤＭＲＳシーケンスの長さはＰＵＳＣＨの長さ、又はここで提案されるＤＭＲＳグルーピングにより送信されないレガシーＤＭＲＳシーケンスの長さの半分である。従って、ＤＭＲＳグルーピングを用いて新規ＵＥに割り当てられるリソースブロック（ＲＢ：resource block）の数は、Ｍ（すなわち２）の倍数である。例えば、Ｍ＝２の場合、ＲＢの数は、２、４、６、などある。代替的に、この条件は、ＲＢの数が６より少ない場合にのみ満たされる必要があってもよい。
【００３２】
図６Ｂは、本開示の一実施形態に従うＤＭＲＳグルーピングに基づく周波数分割多重モードにおけるＤＭＲＳパターンの例を模式的に示す。図６Ａに示されるＤＭＲＳパターンと図６Ｂに示されるＤＭＲＳパターンとの違いは、基準信号グループが異なるシンボルにホッピングされている点である。言い換えれば、スロット０内のＤＭＲＳ及びスロット１内のＤＭＲＳにおいて、ＤＭＲＳグループ０を運ぶためのＲＥとＤＭＲＳグループ１を運ぶためのＲＥは、周波数ドメインにおいて異なる方法で互い違いにされる。スロット０内のＤＭＲＳシンボルにおいて、ＤＭＲＳグループ０を運ぶためのＲＥとＤＭＲＳグループ１を運ぶためのＲＥとは、ＤＭＲＳグループ０、ＤＭＲＳグループ１、ＤＭＲＳグループ０、ＤＭＲＳグループ１．．．の順で互い違いにされる。一方、スロット１内のＤＭＲＳシンボルにおいて、ＤＭＲＳグループ０を運ぶためのＲＥとＤＭＲＳグループ１を運ぶためのＲＥとは、ＤＭＲＳグループ１、ＤＭＲＳグループ０、ＤＭＲＳグループ１、ＤＭＲＳグループ０．．．の順で互い違いにされる。
【００３３】
図７は、本開示の一実施形態に従う、更なる５Ｇ通信システムにおけるＤＭＲＳグルーピングに基づくＤＭＲＳパターンの更なる例を模式的に示す。図７に示されるように新規なＤＭＲＳパターンは、ＤＭＲＳグルーピングに基づいて、しかし時分割多重モードにおいて達成される。つまり、スロット０内のＤＭＲＳシンボルにおいて、全てのＲＥはＤＭＲＳグループ０を運び、一方、スロット１内のＤＭＲＳシンボルにおいて、全てのＲＥはＤＭＲＳグループ１を運ぶ。
【００３４】
実際問題として、将来の５Ｇ通信システムにおいて、フレーム構造は、別の形式を有し得る。将来の５Ｇ通信システムにおいて、ＴＴＩ長は非常に短くなる可能性があり、従って、図８Ａから図８Ｅに示されるように、１つのスロットに２つ又は４つの連続するＤＭＲＳシンボルが含まれ得る。加えて、図８Ｆに示されるように、Ｍは２には限定されず、３又はそれよりも多くてもよい。
【００３５】
レガシーＤＭＲＳパターン又は新規なＤＭＲＳパターンのどちらが使用されるかに関して、或いは換言すれば、ＤＭＲＳグループ構成が有効であるか否かに関して、ＤＭＲＳ構成インディケーション（ＤＣＩ）フォーマット情報、又は、無線リソース制御（ＲＲＣ：radio resource control）シグナリングのビットにより通知されることができる。異なるＵＥ又はＵＥの異なるレイヤに対するＤＭＲＳグループ構成は、ＲＳ信号インディケーションにより示されることができ、ＲＳ信号インディケーションは、明示的な又は黙示的なＲＲＣシグナリング又はＤＣＩフォーマット情報であり得る。つまり、ＤＭＲＳグループ構成は、新たなＲＲＣシグナリングにより示されることができ、又は、巡回シフト構成及び直交カバーコード構成も示すＤＣＩフォーマットにより示されることができる。一例として、基準信号グループ構成は、巡回シフト構成により黙示的に示されることができる。他の例として、基準信号グループ構成は、基準信号構成インディケーションのビットにより明示的に示されることができる。
【００３６】
加えて、ＤＭＲＳグループ構成のためのＲＲＣシグナリングは、新規なＤＭＲＳパターンが有効であるかどうかを示すためのＲＲＣシグナリングとは別のシグナリングとすることができ、又は、代替的に、新規なＤＭＲＳパターンが有効であるかどうかとＤＭＲＳグループ構成とが、同じＲＲＣシグナリングにおいて示されることができる。更に、ＤＣＩフォーマット情報内の同じ又は異なるビットは、ＤＭＲＳグループインディケーション及び新規なＤＭＲＳが有効であるかどうかのインディケーションを提供するために使用されることができる。
【００３７】
本開示の一実施形態において、１つのＵＥにより１つの基準グループのみが使用されることができる。そのような場合、ＤＭＲＳグループ構成は、巡回シフト構成、すなわちＤＣＩフォーマットにおける巡回シフトフィールドにより、黙示的に示されることができる。例えば図９において、ＤＣＩフォーマットのＣＳフィードにおけるインデックスの一部は、新規なＤＭＲＳパターンのためのものであり、ＤＣＩフォーマットのＣＳフィールドにおけるインデックスの残りの部分はレガシーＤＭＲＳパターンのためのものである。別の言い方をすれば、新規ＵＥに対するＤＣＩにおけるＣＳフィールドのためのテーブルにおいて、全てのインデックスは２つの部分に分割され、第１の部分はＵＥにレガシーＤＭＲＳパターンを使用することを示すためのものであり、第２の部分はＵＥに新規なＤＭＲＳパターンを使用することを示すためのものである。第２の部分において、インデックスは更に２つの部分に分割され、１つはＤＭＲＳグループ０のためのものであり、もう１つはＤＭＲＳグループ１のためのものである（Ｍ＝２の場合）。例えば、図９に示されるように、ＤＣＩフォーマットにおけるインデックスが０００である場合、ＵＥは、新規なＤＭＲＳパターンの新規なＤＭＲＳグループ０を使用してＤＭＲＳを送信すべきである。一方、ＤＣＩフォーマットにおけるインデックスが０１０である場合、ＵＥは、レガシーＤＭＲＳパターンを使用すべきである。そのような場合、新規ＵＥにレガシーパターン又は新規なパターンが使用されるかどうかを示すためのＲＲＣシグナリング、又はＤＣＩ情報ビットは必要ない。
【００３８】
図１０は、本開示の別の実施形態に従う、ＤＭＲＳグループ構成を示すためのインディケーション手法を模式的に示しており、図１０において、ＤＣＩフォーマットのＣＳフィールドにおけるインデックスはＭ部分（Ｍ＝２）に分割される。図１０に示されるように、ＤＣＩフォーマットのＣＳフィールドにおけるインデックスは２つの部分に分割され、１つはＤＭＲＳグループ０のためのものであり、もう１つはＤＭＲＳグループ１のためのものである。例えば、インデックス０００、００１、０１０、１１１は第１のグループ、すなわちＤＭＲＳグループ０に含まれ、インデックス０１１、１００、１０１、１１０は第２のグループ、すなわちＤＭＲＳグループ１に含まれる。代替的に、巡回シフト（すなわち図３に示されるｎ(1)DMRS値）を、ＲＲＣシグナリングに基づいてＭグループに分割することもできる。一例として、インデックス０、１、２、３はＤＭＲＳグループ０に対応し、残りのインデックスはＤＭＲＳグループ１に対応する。そのような場合、１ビットＲＲＣシグナリング又は１ビットＤＣＩ情報がレガシーパターン又は新規なパターンが使用されるかどうかを示すために使用され得る。
【００３９】
本開示の他の実施形態において、１より多い基準信号グループが１つのユーザ機器により使用されることが許可される。その場合、１つのＵＥの異なるレイヤのためのＤＭＲＳシーケンスは、異なるＤＭＲＳグループに多重化されることができ、新たなマッピングテーブルを使用することができ、そのマッピングテーブルは、ＲＲＣシグナリング又はＤＣＩフォーマットにおける１ビットにより通知され得る。新たなテーブルの例が図１１に示され、図１１において、ΔTCは、ＤＭＲＳグループ構成を示し、値０はＤＭＲＳグループ０を示し、値１はＤＭＲＳグループ１を示す。図１１から、ＤＭＲＳグループ構成がＣＳインデックス及びレイヤに結び付けられることは明らかである。そのような場合、それぞれ２つのレイヤを持つ４つのＵＥは、以下の方法でスケジュールされることができ、フィールド０００＋００１＋０１０＋０１１が使用され、多重化は、イントラＵＥ  ＣＳ、インターＵＥ  ＯＣＣ、及びＦＤＭにより実装される。
【００４０】
１つのＵＥ内の異なるレイヤが異なるＤＭＲＳグループに多重化されることができる場合、２つのレイヤはＯＣＣ又はＦＤＭで、例えばフィールド１００又は１０１はＦＤＭで、フィールド１１０又は１１１はＯＣＣでサポートされることができる。同時に、単一ユーザ（ＳＵ：single user）モードにおいて、最大８つのレイヤまでサポートし得る。この場合、ＵＥはレイヤ番号で構成される必要があるため、ＵＥは、黙示的にＤＭＲＳ、ＯＣＣ、及びＦＤＭを通知されることができる。一例として、ＵＥが８レイヤで構成され、かつフィールド０００の場合、ＵＥは、あらかじめ定義されたマッピングを、レイヤ０−３について、ＣＳ、ＯＣＣ、及びΔTCがテーブルに示されるように、レイヤ４−７については、ＣＳ及びＯＣＣはレイヤ０−３と同様であるがＦＤＭ構成に対して（１−ΔTC）である、と仮定することができる。
【００４１】
更なる実施形態において、４以上のレイヤを持つＳＵ−ＭＩＭＯに対し、ＣＳ、ＯＣＣ、及びＤＭＲＳグループ構成は、黙示的にＵＥに通知されることができる。そのような場合、集約された基準信号構成を使用してＤＭＲＳ送信においてより多くのレイヤをサポートすることができる。集約された基準信号構成は、１より多い構成から集約された基準信号構成を示す。例えば、集約された基準構成は、基準信号構成インディケーションにより示される基準信号構成、及びそれと共に使用されるとあらかじめ定義された別の基準信号構成を集約することにより形成され得る。別の基準信号構成は、基準信号構成インディケーションにより示されるが異なる基準信号グループ構成を有する基準信号構成から取得される構成であり得る。あるいは、代替的に、別の基準信号構成は、巡回フィールドマッピングテーブルにおける基準信号構成とすることができ、その基準信号構成は、基準信号構成インディケーションにより示される基準信号構成とは異なり、かつ基準信号構成インディケーションにより示される基準信号構成と共に使用されるとあらかじめ定義される。例えば、レイヤ番号ｖに対し、最初のｖ／２レイヤ及び次のｖ／２レイヤに、同じＣＳ／ＯＣＣであるが、異なるＤＭＲＳグループ構成のためのものを使用し得る。従って、この実施形態では、基準信号インディケーションが１つの基準信号構成のみを示す場合でも、より多くのレイヤ（Ｍ＝２の場合最大８レイヤまで）をサポートするために２以上のＣＳ／ＯＣＣ／ＤＭＲＳグループ構成を集約する。
【００４２】
一例として、図４に示されるレガシーテーブルにおいて、ＣＳフィールドの２つのインデックス（すなわち２つの構成）は、１つのＵＥが８つのレイヤのためのＳＣ及びＯＣＣ構成を示すように構成される。２つのインデックスの関係は、固定され、或いはあらかじめ定義され、ＤＣＩフォーマットのレガシーＣＳフィールドを用いることでＵＥに通知されることができる。例えば、８つのレイヤに対して、インデックス０００は、実際には、それぞれ最初の４つのレイヤ及び次の４つのレイヤのためのＣＳ／ＯＣＣを示すインデックス０００及び００１を表し、レイヤ０、１、２、及び３は、ＣＳ：０、６、３、及び９、並びにＯＣＣ：［１  １］、［１  １］［１  −１］、［１−１］を使用し、レイヤ４、５、６、７は、ＣＳ：６、０、９、及び３、並びにＯＣＣ：［１  −１］、［１  −１］、［１  １］  ［１  １］を使用する。または、代替的に、インデックス０００は、偶数レイヤ、例えば０、２、４、６のためのＣＳ／ＯＣＣを示すために使用されることができ、インデックス００１は、奇数レイヤ、例えば１、３、５、７のためのＣＳ／ＯＣＣを示すために使用されることができる。
【００４３】
次いで、図５に戻り、そこに見られるように、ステップ５２０において、基準信号グループ構成において示される基準信号グループにおける基準信号シーケンスを使用して基準信号が送信され、ここで、基準信号シーケンスは、異なる基準信号グループ内の別のレイヤ又は別のユーザと多重化されることができる。
【００４４】
基準信号構成情報の受信後、ＵＥは、基準信号構成情報において示される構成に従ってＤＭＲＳシーケンスを送信することができる。
【００４５】
例として４つの１レイヤＵＥを考えると、ＵＥ０、ＵＥ１、ＵＥ２、ＵＥ３は、ＤＣＩフォーマットにおいて、それぞれインデックス０００、００１、１００、及び１０１で構成される。図１２は、４つの新規ＵＥがペアになった場合における、ＣＳ構成、ＯＣＣ構成、及びスロット０又はスロット１で送信されるＤＭＲＳ信号を示す。現在の標準では、シーケンスグループホッピングが無効の場合、Ｒ’ｉとＲｉとの間の巡回シフトオフセットは、ＭＵ−ＭＩＭＯをサポートするために、それら全てのＵＥに対して同一であるべきである。すなわちＲ’ｉ（ｎ）＝ｅjanＲｉ（ｎ）であるべきである。言い換えれば、全てのｍｕ−ユーザに対して、２つのスロット間の巡回シフトインデックスオフセット（又は１２による剰余後）は同じである。例えば、ＵＥ０に対して、スロット０及び１の巡回シフトインデックスはそれぞれ０及び６であり、インデックスオフセット値は６である。ＵＥ３に対して、２つのスロットのインデックスはそれぞれ８及び２であり、１２による剰余後のオフセットは６である。
【００４６】
図１３は、２つのＵＥにより、新規なＤＭＲＳフォーマットを使用して２つのスロットにおいて送信される基準信号を示し、同図には、最も近い４つのＲＥ、すなわちスロット０及びスロット１における最初の２つの基準信号が、説明を明確にするために下部に更に示されている。最も近い４つのＲＥにおけるシンボルは、下記式で与えられる。
[ R0 (n)   ejanR0 (n)        0        0        ]
[ R1 (n)   -ejanR1 (n)        0        0       ]
[ 0            0           R2 (n)    ejanR2 (n)]
[ 0            0           R3 (n)   -ejanR3 (n)]
【００４７】
上記式から、２つの新規ＵＥに対して、それらが不均一な帯域幅を有する場合でも、これら４つのＲＥの間で直交性が達成されていることが分かる。
【００４８】
しかしながら、レガシーＵＥが新規ＵＥと対になった場合、それらは異なるＤＭＲＳパターンを使用し、レガシーＵＥは異なるＤＭＲＳグループに多重化されていないため、直交性は達成できない。換言すれば、同じ周波数リソースに対して、レガシーＤＭＲＳシーケンスの長さは、新規なＤＭＲＳシーケンスの長さの２倍である。従って、レガシーＵＥと新規ＵＥとの開始周波数位置が同じ場合、基本的に、レガシーＤＭＲＳシーケンスのリソースインデックスは、新規なＤＭＲＳシーケンスの２倍である。図１４は、レガシーＵＥが新規ＵＥと対になった場合における、ＣＳ構成、ＯＣＣ構成、及びスロット０及びスロット１において送信されるＤＭＲＳ信号の一例を示す。最も近い４つのＲＥは、下記式で与えられる。
[ R0 (2n)   eja2nR0 (2n)   R0 (2n+1)   eja(2n+1)R0 (2n+1) ]
[ R1 (n)    -ejanR1 (n)         0           0          ]
[ 0           0           R2 (n)         -ejanR2 (n)   ] 
【００４９】
上記式から、直交性が達成できないことは明らかである。実際、直交性を達成するために、新規ＵＥに対する２つのスロットの間の巡回シフトオフセットは、レガシーＵＥの巡回シフトオフセットの２倍にすべきである。言い換えれば、ＯＣＣシーケンスを除いて、２つのスロットの位相シフトは、同じ周波数リソースｎにおいてレガシーと同様に、すなわちＲ’1／Ｒ1＝Ｒ’0／Ｒ0に保たれるべきである。従って、そのような場合において、新規ユーザ機器とレガシーユーザ機器との間の直交性改善のために、基準信号を送信する新規ユーザ機器に対して、スロット間の巡回シフトオフセットを増加することが要求される。
【００５０】
本開示の一実施形態において、ＤＭＲＳシーケンスが生成されるとき、巡回シフトはＭだけ拡大される。例えば、ＤＭＲＳグループ０に対して、基準信号シーケンスは、下記のように変更される。
【数１】
2020074611.tif 000005
ＤＭＲＳグループ１に対しては、基準信号シーケンスは、下記のように変更できる。
【数２】
2020074611.tif 000006
ここで、ＭRSSCは、ＤＭＲＳシーケンス長である。従って、レガシーＵＥ０と新規ＵＥ１とに同じ周波数リソースが割り当てられた場合、ＵＥ１のＤＭＲＳシーケンス長は、ＵＥ０のＤＭＲＳシーケンス長の半分である。
【００５１】
提案されるようにＤＭＲＳシーケンスが変更された後、最も近い４つのＲＥにおける新しいシンボルは、下記の式で与えられる。
[ R0 (2n)   eja2nR0 (2n)   R0 (2n+1)   eja(2n+1)R0 (2n+1) ]
[ R1 (n)    -eja2nR1 (n)       0            0          ]
[ 0            0         R2 (n)       -eja(2n+1)R2 (n)  ]
【００５２】
上記式から、レガシーＵＥと新規ＵＥとの間で直交性が得られることが分かる。
【００５３】
しかしながら、新規なＤＭＲＳシーケンスにおいて、異なるＣＳ間の直交性が壊れることが分かる。例えば、ＣＳ０とＣＳ６との間の直交性が壊れる。既存のＤＭＲＳ構成において、巡回シフトオフセットは６であり、周波数ドメインにおいて最も近い２つのＲＥは、レガシーパターンにおける１つの直交グループであることができる。つまり周波数ドメインにおいて、２つの連続するサブキャリアのブロックにわたる直交周波数コードに変換されることができる。その結果、チャネル推定の粒度は、（およそ）２つのサブキャリアあたり１つである。ＤＭＲＳシーケンスが生成されるとき巡回シフトオフセットが増加された後、これは保証されない。
【００５４】
巡回シフトオフセットが増加された実施形態において、ＣＳオフセット３の直交性は、２つの連続するＤＭＲＳサブキャリアのブロックにわたる直交周波数コードをもたらす。加えて、６オフセットを有する２つのＣＳは、同じＤＭＲＳシーケンスをもたらす。
【数３】
2020074611.tif 000007
従って、新規なＤＭＲＳパターンにおいて、ＣＳオフセット６に代えてＣＳオフセット３が使用されるべきである。そのような場合、新規ユーザ機器に対する巡回シフトは、異なる巡回シフト間の直交性を保つために減少できる。そのような場合、ｎ(1)DMRS及び／又はｎ(2)DMRS,λを縮小できると考えられる。つまり、ｎcs,λの等式は、下記のように変更されることができる。
【数４】
2020074611.tif 000008
別のオプションとして、新たな巡回シフト値が導入されることができる。特に最大で２つのレイヤに対し、第１レイヤと第２レイヤとの間のＣＳオフセットは３であるべきである。例えば、３ＧＰＰ  ＴＳ  ３６．２１２の表５．５．２．１．１−１においてインデックス０００に対応する関連する値０，６を、０，３に修正できる。図１５は、本開示の実施形態に従う、上りリンクに関連するＤＣＩフォーマットにおける巡回シフトフィールドのｎ(2)DMRS,λ、及び［ｗ(λ)(0) ｗ(λ)(1)］への割当ての例を模式的に示す。そのような場合、ｎcs,λの古い等式、又は下記に示されるように６による剰余が使用され得る。
【数５】
2020074611.tif 000009
【００５５】
一例として、１ビットＤＣＩ情報又はＲＲＣ信号が、新規なＤＭＲＳパターン／シーケンスが使用されるか、又はレガシーＤＭＲＳパターン／シーケンスが使用されるかを示すために使用され得る。新規なものの場合、第２レイヤと第１レイヤとの間のＣＳオフセットは３である。ＣＳオフセットは係数Ｍにより拡大されるため、インデックス０００及び００１から導出される関連するＤＭＲＳシーケンスは同じであり、インデックス０１０及び１１１から導出される関連するＤＭＲＳシーケンスは同じであり、インデックス０１１及び１１０から導出される関連するＤＭＲＳシーケンスは同じであり、インデックス１００及び１０１から導出される関連するＤＭＲＳシーケンスは同じである。従って、全ＣＳインデックスは、２つのグループに分割されることができ、１つのグループは１つのＤＭＲＳグループに対応し、異なる関連するＤＭＲＳシーケンスを有する。例えば、インデックス０００、０１０、０１１、１００、１０１はＤＭＲＳグループ０に対応することができ、残りのインデックスはＤＭＲＳグループ１に対応し得る。そのようにして、ＵＥがインデックス０００を受信したとき、それはＵＥがＤＭＲＳグループ０に属することを意味する。
【００５６】
加えて、後方互換性を考慮すると、新規ＵＥに対する１つのサブフレームの２つのスロット間の位相シフトは、レガシーのものと同じに保たれるべきである。
【００５７】
ＤＭＲＳグループ０に対して、基準信号シーケンスは、下記のレガシーの式をそのまま維持することができる。
【数６】
2020074611.tif 000010
一方、ＤＭＲＳグループ１に対しては、下記式となる。
【数７】
2020074611.tif 000011
【００５８】
従って、このソリューションにおいて、新規ＵＥに対する１つのサブフレームの２つのスロット間の巡回シフトオフセットは、レガシーのもののＭ倍に保たれる。
【００５９】
加えて、更なる５Ｇ通信システムにおいて、ＴＴＩは非常に短いことが分かる。非常に短いＴＴＩ長を有するシナリオにおいて、ＤＭＲＳは、いくつかのＴＴＩにおいて取り除かれることができる。言い換えれば、ＤＭＲＳは全てのＴＴＩにおいて送信されない。この場合、物理制御シグナリングにおける１ビット又は数ビットが、ＤＭＲＳシンボルがいくつ使用され、或いは現在のＴＴＩにおいてＤＭＲＳシンボルが存在するかどうかを、ＵＥに知らせるために使用されることができる。ＴＴＩ内にＤＭＲＳが存在しない場合、ＵＥは、以前のＤＭＲＳを使用してデータを復調することができる。加えて、ＤＭＲＳを有しない再送信が、以前の送信又は初期送信内のＤＭＲＳを使用することによって実施されることができる。
【００６０】
加えて、複数のＴＴＩスケジューリングが考慮され得る。換言すれば、ｅＮＢは、１つのＴＴＩにおいて制御シグナリング情報を構成するのみで、ＵＥは、制御シグナリング情報に基づいて複数のＴＴＩにおいてデータを受信し、かつ／又は送信できる。従って、そのような場合において、１つ又は少数のＴＴＩがＤＭＲＳを含むことが可能である。別のオプションとして、長さＬのＯＣＣシーケンスが使用されることができ、それは図１６に示される。示されるように、長さＬのＯＣＣシーケンス又はＤＦＴシーケンスは、それらＬ個のＴＴＩのためのＤＭＲＳにおいて適用されることができる。この場合において、各ＴＴＩにおいて１つのＤＭＲＳのみが存在する。例としてＬ＝４を考えると、４つの直交するＯＣＣシーケンスは、ＤＭＲＳシーケンスに多重化されることができる。このように、最大で４つのレイヤ又は４人のｍｕ−ユーザが、ＯＣＣシーケンスにより多重化されることができる。
【００６１】
さらなるオプションとして、図１７に示されるように、６つのＤＦＴシーケンスを使用することもできる。そのような場合、各ＴＴＩにおいて２つのＤＭＲＳシーケンスを送信することができ、ＤＦＴシーケンス値は、各ＴＴＩにおいてＤＭＲＳシーケンスに多重化されることができる。従って、最大６つのレイヤ又はユーザが、６つのＤＦＴシーケンスにより多重化されることができる。
【００６２】
別の異なる実施形態において、各ユーザ又はレイヤは、互い違いパターンにおいてＭ個のＤＭＲＳグループを使用することにより、送信されることができる。別の言い方をすれば、１つのＵＥは、多重化されたＤＭＲＳシーケンスを、Ｍ個のＤＭＲＳグループを用いて互い違いパターンに基づいて送信する。この実施形態では、ＵＥは、全てのレイヤのために各ＤＭＲＳグループにおいてＤＭＲＳシーケンスを送信する必要がある。そのような場合、異なるＵＥは、異なるＯＣＣシーケンスにより多重化されることができる。
【００６３】
例えば、図１８に示されるように、ＤＭＲＳ送信のために１つのシンボルのみが使用される場合、ＵＥ０及びＵＥ１の双方は、Ｍ個のＤＭＲＳグループを使用して互い違いパターンで基準信号シーケンスを送信し、２つのＵＥは、同じ１つのシンボルにおいてＯＣＣ＝２でＭＵ−ＭＩＭＯモードにおいて基準信号を送信し、ここで、［Ｗ00  Ｗ01］＝［１  １］で、かつ［Ｗ10  Ｗ11］＝［１  −１］である。そのような場合、１つのレイヤを持つＵＥ０は、ＤＭＲＳシーケンスＷ00×Ｒ0をＤＭＲＳグループ０で送信し、かつＤＭＲＳシーケンスＷ01×Ｒ’0をＤＭＲＳグループ１で送信し、一方同じシンボルにおいて、ＵＥ１は、ＤＭＲＳシーケンスＷ10×Ｒ1をＤＭＲＳグループ０で送信し、かつＤＭＲＳシーケンスＷ11×Ｒ’1をＤＭＲＳグループ１で送信する。図１９に示されるように、ＤＭＲＳ送信のために２つのシンボルが使用される別のケースにおいて、例えばＲ１０上りリンクＤＭＲＳパターンにおいて、ＵＥｉのために、異なるＣＳ、Ｒ0ｉ、Ｒ1ｉ、Ｒ2ｉ、Ｒ3ｉを持つ４つのＺＣシーケンスが用いられることができ、そのようにして、４人のＭＵユーザをサポートするために、ＯＣＣ＝４のＲ１０上りリンクＭＵ−ＭＩＭＯ機構を拡張することができ、ＵＥは、異なる帯域幅にスケジュールされることができる。そのような場合、ＯＣＣは、下記であり得る。
[wi0 wi1 wi2 wi3 ] = [1    1   1   1]、又は
[1   -1   1   -1]、又は
[1    1   -1   -1]、又は
[1    -1  -1   1]
【００６４】
なお、各ユーザ又はレイヤがＭ個のＤＭＲＳグループを使用して互い違いパターンで送信されることができる実施形態において、ＤＭＲＳシーケンスは、上記したように、新規ＵＥとレガシーＵＥとの間、及び異なるＣＳの間で直交性を保つために後方互換性を持つように変更されることができる。別の言葉で言えば、全てのＵＥに対して、４つのＺＣシーケンスの間の巡回シフトオフセットは同じに保たれるべきである。特に、ＵＥｉに対して、Ｒ1iとＲ2iと間の巡回シフトオフセットは、１つのＴＴＩ内にＵＥｉと共にスケジュールされるＵＥｊのためのＲ1jとＲ2jと間のオフセットと同じであることができる。一方、新規ＵＥがレガシーＵＥと多重化される場合、２つのスロットのＤＭＲＳシーケンスの間の巡回シフトオフセットも、レガシーのものと同じであるべきである。
【００６５】
加えて、送信性能を向上するために更なるスキームを使用することができる。例えば、ＤＭＲＳグループが有効の場合、ＤＭＲＳシンボルの電力とＰＵＳＣＨシンボルの電力とが１つのＴＴＩ内において同じに保たれていれば、１つのＤＭＲＳ  ＲＥ内の電力は、ＰＵＳＣＨ内のものの２倍になる。さらに、１つのＤＭＲＳ  ＲＥの電力と１つのＰＵＳＣＨの電力とが同じに保たれていれば、ＤＭＲＳシンボルの電力は、ＰＵＳＣＨシンボルの電力の半分になる。これらは、異なるシンボル間の電力不均衡を意味する。従って、電力不均衡を避けるために、倍率が変更され得る。
【００６６】
従って、３ＧＰＰ  ＴＳ  ３６．２１３のセクション５．５．２．１．２において、振幅倍率は、デルタ×βPUSCHとして変更されることができ、ここで、デルタは１又は√２であり、デフォルト情報としてＵＥに通知されることができる。一例として、新規なＤＭＲＳパターンを持つＵＥに対し、振幅倍率はデルタ×βPUSCHである。代替的に、ｅＮＢは、ＲＲＣシグナリングを使用してＵＥにデルタの値を通知することができ、ｅＮＢは、ＵＥのために複数の値から１つの値を選択することができる。例えば、デルタの値の候補は、｛１，√２｝、又は｛１，√２，√０．５など｝であることができる。そのようにして、電力不均衡は大きく緩和されることができる。
【００６７】
ここまで、記述は、主に基準信号送信のソリューションに対してなされた。本開示において、図２０を参照して説明される基準信号を受信する方法も提供される。
【００６８】
図２０に示されるように、方法２０００はステップ２０１０からスタートすることができ、ステップ２０１０において、基準信号構成インディケーションが送信される。特に、前述のように、基準信号リソースは少なくとも２つの基準信号グループに分割されており、基準信号構成インディケーションは、基準信号グループ構成を含む基準信号構成を示すことができる。
【００６９】
本開示の一実施形態において、基準信号リソースは少なくとも２つの基準信号グループに分割され、少なくとも２つの基準信号グループは、周波数分割多重モード、又は時分割多重モードの何れかにおいて多重化され、そのようにして、限られたアンテナポートリソースでより多くのユーザ又はより多くのレイヤをサポートできる。加えて、周波数分割多重モードにおいて、少なくとも２つの基準信号グループは、更に異なるシンボルにおいてホッピングされることができる。
【００７０】
本開示の他の実施形態において、基準信号構成インディケーションは、基準信号グループ構成に加えて、更に巡回シフト構成、及び直交カバーコード構成を示し得る。これは、同じ基準信号インディケーション、すなわちＤＣＩフォーマットにより、巡回シフト構成、直交かバーコード構成、及び基準信号グループ構成が示されることができることを意味する。例えば、基準信号グループ構成は、巡回シフト構成により黙示的に示されていてもよく、又は、代替的に基準信号構成インディケーションのビットにより明示的に示されていてもよい。加えて、基準信号構成インディケーションのビットにより、或いは別個のＲＲＣシグナリングを使用することにより、基準信号グループ構成が有効であるかどうかが示されることができる。
【００７１】
本開示のいくつかの実施形態において、１つの基準信号グループのみが、１つのユーザ機器により使用されることが許可される。そのような場合、巡回シフト構成のためのインデックスの一部がレガシー基準信号パターンのために予約され、インデックスの残りの部分が少なくとも２つのグループに分割され、分割されたインデックスのそれぞれは、少なくとも２つの基準信号グループの対応する１つに割り当てられる。あるいは、代替的に、巡回シフト構成のためのインデックスは、少なくとも２つのグループに分割されることができ、分割されたインデックスのそれぞれは、少なくとも２つの基準信号グループの対応する１つに割り当てられる。
【００７２】
本開示のいくつかの実施形態において、１より多い基準信号グループが１つのユーザ機器により使用されることが許可される。そのような場合、基準信号グループインディケーションは、巡回シフトのためのインデックスに結び付けられることができる。別の言葉で言えば、巡回シフトのための特定のインデックスに対し、基準信号グループインディケーションはあらかじめ定められている。
【００７３】
次いで、図２０のステップ２０２０に示されるように、基準信号が受信され、基準信号は、基準信号グループ構成により示される基準信号グループにおいて基準信号シーケンスを使用することにより送信され、ここで、基準信号シーケンスは、異なる基準信号グループ内の別のレイヤ又は別のユーザと多重化されることができる。
【００７４】
基準信号構成インディケーションがＵＥに送信された後、ＵＥは、基準信号グループ構成により示される基準信号グループにおける基準信号シーケンスを用いて基準信号を送信する。ｅＮＢはＵＥから基準信号を受信することができ、基準信号シーケンスは、異なる基準信号グループ内の別のレイヤ又は別のユーザと多重化されることができる。
【００７５】
加えて、基準信号は、より多くのレイヤをサポートするために、集約された基準信号構成を用いて送信されることもできる。集約された基準信号構成は、１より多い構成から集約された基準信号構成であってもよく、集約された基準信号構成は、基準信号構成インディケーションにより示される基準信号構成、及びその基準信号構成と共に使用されることがあらかじめ定義された別の基準信号構成を集約することにより形成されてもよい。別の基準信号構成は、基準信号構成インディケーション構成により示されるが、異なる基準信号グループ構成を持つ基準信号構成から取得された基準信号構成であってよく、或いは、基準信号構成インディケーションにより示される基準信号構成と共に使用するようにあらかじめ定義された、巡回フィールドマッピングテーブルにおける異なる基準信号構成であってもよい。
【００７６】
ｅＮＢは、ＵＥに送信された基準信号構成に従って基準信号を復調し、チャンネル状況を学習する。
【００７７】
本開示の実施形態において、基準信号を送信し、受信する新たなソリューションが提供され、そのソリューションにおいて、基準信号リソースは少なくとも２つの基準信号グループに分割されており、異なるレイヤ又はユーザのための基準信号は異なる基準信号グループに多重化されることができる。従って、より多くの不均一な帯域幅を有するｍｕ−ユーザが、著しいチャネル推定ロス及びＰＡＰＲロスなしに、サポートされることができる。
【００７８】
加えて、図２１は、本開示の一実施形態に従う、基準信号を送信する装置のブロック図を模式的に示す。
【００７９】
図２１に示されるように、装置２１００は、インディケーション受信モジュール２１１０、及び信号送信モジュール２１２０を有する。インディケーション受信モジュール２１１０は、基準信号構成インディケーションを受信するように構成されてもよく、ここで、基準信号リソースは少なくとも２つの基準信号グループに分割され、基準信号構成インディケーションは、基準信号グループ構成を含む基準信号構成を示す。信号送信モジュールは、基準信号グループ構成により示される基準信号グループにおける基準信号シーケンスを使用して基準信号を送信するように構成されてもよく、基準信号シーケンスは、異なる基準信号グループの別のレイヤ又は別のユーザと多重化されることができる。
【００８０】
本開示の一実施形態において、少なくとも２つの基準信号グループが、周波数分割多重モード、又は時分割多重モードの何れかにおいて多重化されることができる。周波数分割多重化モードにおいて、少なくとも２つの基準信号グループは、更に異なるシンボルにホッピングされることができる。
【００８１】
本開示の別の実施形態において、基準信号構成は、巡回シフト構成及び直交カバーコード構成を更に示してもよい。この場合、基準信号グループ構成は、巡回シフト構成により黙示的に示されることができ、或いは、基準信号構成インディケーションのビットにより明示的に示されることができる。加えて、基準信号グループ構成が有効であるかは、個別のＲＲＣシグナリングにより示されることも可能であるが、基準信号構成インディケーションのビットにより示されることもできる。
【００８２】
本開示の更なる実施形態において、１つの基準信号グループのみが、ユーザにより使用されることが許可されることができる。そのような場合、巡回シフト構成のインデックスの一部はレガシー基準信号パターンのために予約されることができ、インデックスの残りの部分は少なくとも２つのグループに分割され、各グループは、少なくとも２つの基準信号グループの対応する１つに割り当てられる。あるいは、代替的に、巡回シフト構成のためのインデックスは少なくとも２つのグループに分割されることができ、各グループは、少なくとも２つの基準信号部ループの対応する１つに割り当てられる。
【００８３】
本開示の更なる実施形態において、ユーザにより１より多い基準信号グループが使用されることができる。
【００８４】
本開示の更なる実施形態において、基準信号は、より多くのレイヤをサポートするための集約された基準信号構成を用いて送信されることができ、集約された基準信号構成は、基準信号構成インディケーションにより示される基準信号構成と、その基準構成と共に使用されることがあらかじめ定義された別の基準構成とを集約することにより形成される。この場合、別の基準信号構成は、基準信号構成インディケーションにより示されるが異なる基準信号グループ構成の基準信号構成から取得される基準信号構成であり得る。あるいは、代替的に、別の基準信号構成は、基準信号構成インディケーションにより示される基準信号構成と共に使用するようにあらかじめ定義された、巡回フィールドマッピングテーブルにおける異なる基準信号構成であってもよい。
【００８５】
加えて、新規ユーザ機器とレガシーユーザ機器との間の直交性を向上するために、装置２１００は、基準信号を送信する新規ユーザ機器のために、スロット間の巡回シフトオフセットを増加するように構成されたオフセット増加モジュール２１３０を更に有していてもよい。加えて、異なる巡回シフト間で直交性を保つために、装置２１００は、異なる巡回シフト間で直交性を保つために、新規ユーザ機器に対して、巡回シフトを減少させるように構成されたシフト減少モジュール２１４０を更に有していてもよい。
【００８６】
図２２は、本開示の一実施形態に従う、基準信号を受信する装置を更に示す。図２２に示されるように、装置２２００は、インディケーション送信モジュール２２１０と信号受信モジュール２２２０を有していてもよい。インディケーション送信モジュール２２１０は、基準信号構成インディケーションを送信するように構成されていてもよく、ここで、基準信号リソースは少なくとも２つの基準信号グループに分割され、基準信号構成インディケーションは、基準信号グループ構成を含む基準信号構成を示す。信号受信モジュール２２２０は、基準信号グループ構成により示される基準信号グループにおける基準信号シーケンスを使用して送信された基準信号を受信するように構成されてもよく、基準信号シーケンスは、異なる基準信号グループの別のレイヤ又は別のユーザと多重化されることができる。
【００８７】
本開示の一実施形態において、少なくとも２つの基準信号グループが、周波数分割多重モード、又は時分割多重モードの何れかにおいて多重化されることができる。周波数分割多重化モードにおいて、少なくとも２つの基準信号グループは、更に異なるシンボルにホッピングされることができる。
【００８８】
本開示の別の実施形態において、基準信号構成は、巡回シフト構成及び直交カバーコード構成を更に示してもよい。この場合、基準信号グループ構成は、巡回シフト構成により黙示的に示されることができ、或いは、基準信号構成インディケーションのビットにより明示的に示されることができる。加えて、基準信号グループ構成が有効であるかは、個別のＲＲＣシグナリングにより示されることも可能であるが、基準信号構成インディケーションのビットにより示されることもできる。
【００８９】
本開示の更なる実施形態において、１つの基準信号グループのみが、ユーザにより使用されることが許可されることができる。そのような場合、巡回シフト構成のインデックスの一部はレガシー基準信号パターンのために予約されることができ、インデックスの残りの部分は少なくとも２つのグループに分割され、各グループは、少なくとも２つの基準信号グループの対応する１つに割り当てられる。あるいは、代替的に、巡回シフト構成のためのインデックスは少なくとも２つのグループに分割されることができ、各グループは、少なくとも２つの基準信号部ループの対応する１つに割り当てられる。
【００９０】
本開示の更なる実施形態において、ユーザにより１より多い基準信号グループが使用されることができる。
【００９１】
本開示の更なる実施形態において、基準信号は、より多くのレイヤをサポートするための集約された基準信号構成を用いて送信されることができ、集約された基準信号構成は、基準信号構成インディケーションにより示される基準信号構成と、その基準構成と共に使用されることがあらかじめ定義された別の基準構成とを集約することにより形成される。この場合、別の基準信号構成は、基準信号構成インディケーションにより示されるが異なる基準信号グループ構成の基準信号構成から取得される基準信号構成であり得る。あるいは、代替的に、別の基準信号構成は、基準信号構成インディケーションにより示される基準信号構成と共に使用するようにあらかじめ定義された、巡回フィールドマッピングテーブルにおける異なる基準信号構成であってもよい。
【００９２】
ここまで、装置２１００及び２２００は、図２１及び図２２を参照して簡単に説明された。なお、装置２１００及び２２００は、図５から図２０を参照して説明したものと同様な機能を実装するために構成され得る。従って、これら装置におけるモジュールの動作についての詳細は、方法のそれぞれのステップに関して図５から図２０を参照してなされた記述が参照されうる。
【００９３】
さらに、装置２１００及び２２００の構成要素は、ハードウェア、ソフトウェア、ファームウェア、及び／又はそれらの任意の組み合わせで具現化され得る。例えば、装置２１００及び２２００の構成要素は、それぞれ回路、プロセッサ、又は任意の他の適切な選択デバイスにより実現されてもよい。当業者は、前述の例は説明のみのためのものであって限定のためのものでないことを理解するであろう。例えば、本開示を説明するために例として挙げられていたとしても、ＤＭＲＳグループの数Ｍは２には限定されない。加えて、基準信号受信及び送信ソリューションは、ＵＬ送信にのみは限定されず、ＤＬ送信においても使用可能である。しかしながら、そのような場合、上記で説明した動作とは異なり、ｅＮＢは、基準信号構成インディケーションを送信し、基準信号を受信するのに代えて、基準信号構成インディケーション及び基準信号の双方を送信する。一方、ＵＥは、ＲＳ構成インディケーションを受信し、基準信号を送信するのに代えて、ＲＳ構成インディケーション及び基準信号を受信し、ＲＳ構成インディケーションにおいて示されているＲＳ構成に基づいて基準信号を復調する。
【００９４】
加えて、本開示のいくつかの実施形態において、装置２１００及び２２００は、それぞれ少なくとも１つのプロセッサを有し得る。本開示の実施形態と共に使用することに適した少なくとも１つのプロセッサは、例として、既に知られた、又は将来において開発される、一般的な及び特定の目的のプロセッサの双方を含み得る。装置２１００及び２２００は、それぞれ少なくとも１つのメモリを有し得る。少なくとも１つのメモリは、例えば、半導体メモリデバイス、例えばＲＡＭ、ＲＯＭ、ＥＰＲＯＭ、ＥＥＰＲＯＭ及びフラッシュメモリデバイスを含み得る。少なくとも１つのメモリは、コンピュータが実行可能な命令のプログラムを格納するために使用され得る。プログラムは、任意の、高レベル、及び／又は低レベルのコンパイル可能又は解釈可能なプログラミング言語で記述され得る。実施形態に従って、コンピュータ実行可能な命令は、少なくとも１つのプロセッサと共に、装置２１００及び２２００に、図５から図２０をそれぞれ参照して議論されたような方法に従う動作を少なくとも実行させるように構成され得る
【００９５】
図２３は、無線ネットワークにおける無線ネットワークのためのＵＥなどの端末装置として具現化され、或いは端末装置内に含まれ得る装置２３１０、及び、本明細書に記載されるＮＢ又はｅＮＢなどの基地局として具現化され、或いは基地局内に含まれ得る装置２３２０の簡略化されたブロック図を更に示す。
【００９６】
装置２３１０は、データプロセッサ（ＤＰ：Data Processor）などの少なくとも１つのプロセッサ２３１１、及びプロセッサ２３１１に結合された少なくとも１つのメモリ（ＭＥＭ）２３１２を有する。装置２３１０は、プロセッサ２３１１に結合された送受信機（ＴＸ／ＲＸ）２３１３を更に有することができ、それは、装置２３２０に通信可能に接続するように動作可能であってよい。ＭＥＭ２３１２は、プログラム（ＰＲＯＧ）２３１４を格納する。ＰＲＯＧ２３１４は、関連するプロセッサ２３１１上で実行されたとき、装置２３１０が本開示の実施形態に従って動作すること、例えば方法５００を実行することを可能とする命令を含み得る。少なくとも１つのプロセッサ２３１１と少なくとも１つのＭＥＭ２３１２との組み合わせは、本開示の種々の実施形態を実施するのに適した処理手段２３１５を形成し得る。
【００９７】
装置２３２０は、ＤＰなどの少なくとも１つのプロセッサ２３２１、プロセッサ２３２１に結合された少なくとも１つのＭＥＭ２３２２を有する。装置２３２０は、プロセッサ２３２１に結合された適切なＴＸ／ＲＸ２３２３を更に有することができ、それは装置２３１０と無線通信するために動作可能であってよい。ＭＥＭ２３２２はＰＲＯＧ２３２４を格納する。ＰＲＯＧ２３２４は、関連するプロセッサ２３２１上で実行されたとき、装置２３２０が本開示の実施形態に従って動作すること、例えば方法２０００を実行することを可能とする命令を含み得る。少なくとも１つのプロセッサ２３２１と少なくとも１つのＭＥＭ２３２２との組み合わせは、本開示の種々の実施形態を実施するのに適した処理手段２３２５を形成し得る。
【００９８】
本開示の種々の実施形態は、１以上のプロセッサ２３１１、２３２１によって実行されるプログラム、ソフトウェア、ファームウェア、ハードウェア、又はそれらの組み合わせにより実施され得る。
【００９９】
ＭＥＭ２３１２及び２３２２は、ローカルな技術環境に適した任意のタイプのものであってよく、非限定的な例として、半導体ベースのメモリデバイス、磁気メモリデバイス及びシステム、光学メモリデバイス及びシステム、固定されたメモリ及びリムーバブルメモリなどの任意の適したデータストレージ技術を用いて実装されてもよい。
【０１００】
プロセッサ２３１１及び２３２１は、ローカルな技術環境に適した任意のタイプのものであってよく、非限定的な例として、一般用途のコンピュータ、特定用途のコンピュータ、マイクロプロセッサ、デジタル信号プロセッサＤＰＳ、及びマルチコアプロセッサアーキテクチャに基づくプロセッサの１以上を含み得る。
【０１０１】
加えて、本開示は、上記したコンピュータプログラムを含む担体も提供してもよく、その担体は、電気信号、光信号、無線信号、又はコンピュータ可読媒体の１つである。コンピュータ可読媒体は、例えば、ＲＡＭ（random access memory）、ＲＯＭ（read only memory）、フラッシュメモリ、磁気テープ、ＣＤ−ＲＯＭ、ＤＶＤ、及びＢｌｕｅ−ｒａｙディスクなどの光コンパクトディスク、又は電子メモリデバイスであり得る。
【０１０２】
本明細書に記載の技術は、種々の手段により実施されることができ、一実施形態で説明される対応する装置の１以上の機能を実施する装置は、従来技術の手段だけでなく、一実施形態で説明される対応する装置の１以上の機能を実施するための手段をも有し、それは、別々の機能のための個別の手段、又は２以上の機能を実行するように構成され得る手段を有し得る。例えば、これら技術は、ハードウェア（１以上の装置）、ファームウェア（１以上の装置）、ソフトウェア（１以上のモジュール）、又はそれらの組み合わせにおいて実行され得る。ファームウェア又はソフトウェアについて、実装は、本明細書に説明される機能を実行するモジュール（例えばプロシージャ、機能、など）を通じてなされ得る。
【０１０３】
本明細書における実施形態は、方法および装置のブロック図及びフローチャート図解を参照して上記で説明された。ブロック図及びフローチャート図解の各ブロック、並びにブロック図及びフローチャート図解内のブロックの組み合わせは、それぞれ、コンピュータプログラム命令を含む様々な手段により実行されることができることが理解されるであろう。これらコンピュータプログラム命令は、コンピュータ又は他のプログラム可能データ処理装置上で実行される命令がフローチャートブロックにおいて特定される機能を実行するための手段を生成するように、一般用途コンピュータ、特定用途コンピュータ、又は他のプログラム可能データ処理装置上にロードされ、マシンを生成し得る。
【０１０４】
本明細書は、多数の特定の実施の詳細を含んでいるものの、これらは、実施の範囲又は請求される可能性がある範囲の限定として解釈されるべきではなく、特定の実施例の特定の実施形態に特有であり得る特徴の説明として解釈されるべきである。別個の実施形態の文脈において本明細書で説明される特定の特徴は、単一の実施形態において組み合わせて実施されてもよい。反対に、単一の実施形態の文脈で記載されている様々な特徴は、複数の実施形態で別々に、又は任意の適切なサブコンビネーションで実施することもできる。さらに、特徴は、特定の組み合わせで作用するものとして上述されており、当初はそのように主張されていたとしても、請求された組み合わせからの１つ以上の特徴は、場合によっては組み合わせから切り取られてもよく、請求された組み合わせは、サブコンビネーション又はサブコンビネーションのバリエーションに向けられてもよい。
【０１０５】
技術が進歩するにつれて、本発明の概念は様々な方法で実施できることは、当業者には明らかであろう。上述の実施形態は、本開示を限定するものではなく説明するために与えられており、当業者が容易に理解するように、本開示の精神及び範囲から逸脱することなく改変および変形が可能であることを理解されるであろう。そのような改変及び変形は、開示及び添付の請求の範囲内にあると考えられる。本開示の保護範囲は、添付の請求の範囲によって規定される。
【図１】
2020074611.tif 000023
【図２】
2020074611.tif 000024
【図３】
2020074611.tif 000025
【図４】
2020074611.tif 000026
【図５】
2020074611.tif 000027
【図６Ａ】
2020074611.tif 000028
【図６Ｂ】
2020074611.tif 000029
【図７】
2020074611.tif 000030
【図８Ａ】
2020074611.tif 000031
【図８Ｂ】
2020074611.tif 000032
【図８Ｃ】
2020074611.tif 000033
【図８Ｄ】
2020074611.tif 000034
【図８Ｅ】
2020074611.tif 000035
【図８Ｆ】
2020074611.tif 000036
【図９】
2020074611.tif 000037
【図１０】
2020074611.tif 000038
【図１１】
2020074611.tif 000039
【図１２】
2020074611.tif 000040
【図１３】
2020074611.tif 000041
【図１４】
2020074611.tif 000042
【図１５】
2020074611.tif 000043
【図１６】
2020074611.tif 000044
【図１７】
2020074611.tif 000045
【図１８】
2020074611.tif 000046
【図１９】
2020074611.tif 000047
【図２０】
2020074611.tif 000048
【図２１】
2020074611.tif 000049
【図２２】
2020074611.tif 000050
【図２３】
2020074611.tif 000051